(57)【要約】    【課題】      同一コンテンツの視聴を異なる視聴デバイスの間で切り換えた場合でも、視聴者が同じシーンから継続して視聴できるようにすること。    【解決手段】  テレビ及び携帯無線端末装置（視聴デバイス）１１３、１１５の各々は、切換先の前記視聴デバイスを設定する接続デバイス設定部３０６２、４０３３と、デバイス切換要求を入力してホームコンテンツサーバ１１１に送信するデバイス切換要求入力送信手段と、を具備する。ホームコンテンツサーバ１１１は、前記デバイス切換要求を受けた時に切換元の前記視聴デバイスから切換先の前記視聴デバイスに前記コンテンツの配信を切り換える接続デバイス切換部２０５５と、前記デバイス切換要求を受けた時に配信に必要な切換先の前記視聴デバイスのデバイス情報に基づいて前記コンテンツのパラメータを変更するコンテンツパラメータ制御部２０５７と、を具備する。  【選択図】      図１
2006013847.tif 000002
【特許請求の範囲】
【請求項１】
宅内に設置され異なるマルチメディアのコンテンツを蓄積したホームコンテンツサーバと、前記ホームコンテンツサーバから配信される前記コンテンツを再生する複数の視聴デバイスと、を具備するマルチメディアコンテンツ提供システムであって、
前記ホームコンテンツサーバは、
当該ホームコンテンツサーバに接続された前記複数の視聴デバイスを検出するデバイス検出部と、
切換先の前記視聴デバイスを設定する接続デバイス設定部と、
切換元の前記視聴デバイスからデバイス切換要求を受けた時に切換元の前記視聴デバイスから切換先の前記視聴デバイスに前記コンテンツの配信を切り換える接続デバイス切換部と、
前記視聴デバイスに送信している前記コンテンツを管理する視聴コンテンツ管理部と、
前記デバイス切換要求を受けた時に前記コンテンツの配信に必要な切換先の前記視聴デバイスのデバイス情報に基づいて前記コンテンツのパラメータを変更するコンテンツパラメータ制御部と、を具備し、
前記複数の視聴デバイスの各々は、
前記ホームコンテンツサーバに接続された前記複数の視聴デバイスを検出するデバイス検出部と、
切換先の前記視聴デバイスを設定する接続デバイス設定部と、
前記デバイス情報を管理しているデバイス情報管理部と、
前記デバイス切換要求を前記ホームコンテンツサーバに送信するデバイス切換要求送信手段と、
を具備することを特徴とするマルチメディアコンテンツ提供システム。
【請求項２】
宅内に設置され異なるマルチメディアのコンテンツを蓄積したホームコンテンツサーバと、前記ホームコンテンツサーバから配信される前記コンテンツを再生する複数の視聴デバイスと、を具備するマルチメディアコンテンツ提供システムであって、
前記ホームコンテンツサーバは、
当該ホームコンテンツサーバに接続された前記複数の視聴デバイスを検出するデバイス検出部と、
切換先の前記視聴デバイスを設定する接続デバイス設定部と、
切換先の前記視聴デバイスからデバイス切換要求を受けた時に切換元の前記視聴デバイスから切換先の前記視聴デバイスに前記コンテンツの配信を切り換える接続デバイス切換部と、
前記視聴デバイスに送信している前記コンテンツを管理する視聴コンテンツ管理部と、
前記デバイス切換要求を受けた時に前記コンテンツの配信に必要な切換先の前記視聴デバイスのデバイス情報に基づいて前記コンテンツのパラメータを変更するコンテンツパラメータ制御部と、を具備し、
前記複数の視聴デバイスの各々は、
前記ホームコンテンツサーバに接続された前記複数の視聴デバイスを検出するデバイス検出部と、
切換先の前記視聴デバイスを設定する接続デバイス設定部と、
前記デバイス情報を管理しているデバイス情報管理部と、
切換先の前記視聴デバイスとなった時に前記デバイス切換要求を前記ホームコンテンツサーバに送信するデバイス切換要求送信手段と、
視聴している視聴コンテンツ及び視聴シーンの情報を管理する視聴コンテンツ管理部と、
接続元の前記視聴デバイスとなった時において前記デバイス切換要求を送信する時に前記視聴コンテンツ管理部に管理されている前記視聴コンテンツ及び前記視聴シーンの情報を有するコンテンツ情報を切換先の前記視聴デバイスに送信する第１のコンテンツ情報送信手段と、
切換先の前記視聴デバイスとなった時に切換元の前記視聴デバイスから受信する前記コンテンツ情報を前記ホームコンテンツサーバに送信する第２のコンテンツ情報送信手段と、
を具備することを特徴とするマルチメディアコンテンツ提供システム。
【請求項３】
宅内に設置され異なるマルチメディアのコンテンツを蓄積したホームコンテンツサーバと、前記ホームコンテンツサーバから配信される前記コンテンツを再生する複数の視聴デバイスと、を具備し、前記視聴デバイスの各々は、前記ホームコンテンツサーバに接続された前記複数の視聴デバイスを検出するデバイス検出部と、切換先の前記視聴デバイスを設定する接続デバイス設定部と、前記コンテンツの配信に必要なデバイス情報を管理しているデバイス情報管理部と、デバイス切換要求を前記ホームコンテンツサーバに送信するデバイス切換要求送信手段と、を具備するマルチメディアコンテンツ提供システムにおけるホームコンテンツサーバであって、
前記複数の視聴デバイスを検出するデバイス検出部と、
切換先の前記視聴デバイスを設定する接続デバイス設定部と、
切換元の前記視聴デバイスから前記デバイス切換要求を受けた時に切換元の前記視聴デバイスから切換先の前記視聴デバイスに前記コンテンツの配信を切り換える接続デバイス切換部と、
前記視聴デバイスに送信している前記コンテンツを管理する視聴コンテンツ管理部と、
前記デバイス切換要求を受けた時に切換先の前記視聴デバイスの前記デバイス情報に基づいて前記コンテンツのパラメータを変更するコンテンツパラメータ制御部と、
を具備することを特徴とするホームコンテンツサーバ。
【請求項４】
宅内に設置され異なるマルチメディアのコンテンツを蓄積したホームコンテンツサーバと、前記ホームコンテンツサーバから配信される前記コンテンツを再生する複数の視聴デバイスと、を具備し、前記複数の視聴デバイスの各々は、前記ホームコンテンツサーバに接続された前記複数の視聴デバイスを検出するデバイス検出部と、切換先の前記視聴デバイスを設定する接続デバイス設定部と、前記コンテンツの配信に必要なデバイス情報を管理しているデバイス情報管理部と、切換先の前記視聴デバイスとなった時に前記デバイス切換要求を前記ホームコンテンツサーバに送信するデバイス切換要求送信手段と、視聴している視聴コンテンツ及び視聴シーンの情報を管理する視聴コンテンツ管理部と、接続元の前記視聴デバイスとなった時において前記デバイス切換要求を送信する時に前記視聴コンテンツ管理部に管理されている前記視聴コンテンツ及び前記視聴シーンの情報を有するコンテンツ情報を切換先の前記視聴デバイスに送信する第１のコンテンツ情報送信手段と、切換先の前記視聴デバイスとなった時に切換元の前記視聴デバイスから受信する前記コンテンツ情報を前記ホームコンテンツサーバに送信する第２のコンテンツ情報送信手段と、を具備するマルチメディアコンテンツ提供システムにおけるホームコンテンツサーバであって、
前記複数の視聴デバイスを検出するデバイス検出部と、
切換先の前記視聴デバイスを設定する接続デバイス設定部と、
切換先の前記視聴デバイスから前記デバイス切換要求を受けた時に切換元の前記視聴デバイスから切換先の前記視聴デバイスに前記コンテンツの配信を切り換える接続デバイス切換部と、
前記視聴デバイスに送信している前記コンテンツを管理する視聴コンテンツ管理部と、
前記デバイス切換要求を受けた時に切換先の前記視聴デバイスの前記デバイス情報に基づいて前記コンテンツのパラメータを変更するコンテンツパラメータ制御部と、
を具備することを特徴とするホームコンテンツサーバ。
【請求項５】
宅内に設置され異なるマルチメディアのコンテンツを蓄積したホームコンテンツサーバと、前記ホームコンテンツサーバから配信される前記コンテンツを再生する複数の視聴デバイスと、を具備し、前記ホームコンテンツサーバは、当該ホームコンテンツサーバに接続された前記複数の視聴デバイスを検出するデバイス検出部と、切換先の前記視聴デバイスを設定する接続デバイス設定部と、切換元の前記視聴デバイスからデバイス切換要求を受けた時に切換元の前記視聴デバイスから切換先の前記視聴デバイスに前記コンテンツの配信を切り換える接続デバイス切換部と、前記視聴デバイスに送信している前記コンテンツを管理する視聴コンテンツ管理部と、前記デバイス切換要求を受けた時に前記コンテンツの配信に必要な切換先の前記視聴デバイスのデバイス情報に基づいて前記コンテンツのパラメータを変更するコンテンツパラメータ制御部と、を具備するマルチメディアコンテンツ提供システムにおける視聴デバイスであって、
前記ホームコンテンツサーバに接続された前記複数の視聴デバイスを検出するデバイス検出部と、
切換先の前記視聴デバイスを設定する接続デバイス設定部と、
前記デバイス情報を管理しているデバイス情報管理部と、
前記デバイス切換要求を前記ホームコンテンツサーバに送信するデバイス切換要求送信手段と、
を具備することを特徴とする視聴デバイス。
【請求項６】
宅内に設置され異なるマルチメディアのコンテンツを蓄積したホームコンテンツサーバと、前記ホームコンテンツサーバから配信される前記コンテンツを再生する複数の視聴デバイスと、を具備し、前記ホームコンテンツサーバは、当該ホームコンテンツサーバに接続された前記複数の視聴デバイスを検出するデバイス検出部と、切換先の前記視聴デバイスを設定する接続デバイス設定部と、切換先の前記視聴デバイスからデバイス切換要求を受けた時に切換元の前記視聴デバイスから切換先の視聴デバイスに前記コンテンツの配信を切り換える接続デバイス切換部と、前記視聴デバイスに送信している前記コンテンツを管理する視聴コンテンツ管理部と、前記デバイス切換要求を受けた時に前記コンテンツの配信に必要な切換先の前記視聴デバイスのデバイス情報に基づいて前記コンテンツのパラメータを変更するコンテンツパラメータ制御部と、を具備するマルチメディアコンテンツ提供システムにおける視聴デバイスであって、
前記ホームコンテンツサーバに接続された前記複数の視聴デバイスを検出するデバイス検出部と、
切換先の前記視聴デバイスを設定する接続デバイス設定部と、
前記デバイス情報を管理しているデバイス情報管理部と、
切換先の前記視聴デバイスとなった時に前記デバイス切換要求を前記ホームコンテンツサーバに送信するデバイス切換要求送信手段と、
視聴している視聴コンテンツ及び視聴シーンの情報を管理する視聴コンテンツ管理部と、
接続元の前記視聴デバイスとなった時において前記デバイス切換要求を送信する時に前記視聴コンテンツ管理部に管理されている前記視聴コンテンツ及び前記視聴シーンの情報を有するコンテンツ情報を切換先の前記視聴デバイスに送信する第１のコンテンツ情報送信手段と、
切換先の前記視聴デバイスとなった時に切換元の前記視聴デバイスから受信する前記コンテンツ情報を前記ホームコンテンツサーバに送信する第２のコンテンツ情報送信手段と、
を具備することを特徴とする視聴デバイス。
【発明の詳細な説明】
【技術分野】
【０００１】
本発明は、家庭に設置された様々なマルチメディアのコンテンツを蓄積したホームコンテンツサーバと、前記コンテンツを再生する視聴デバイスと、を具備するマルチメディアコンテンツ提供システムに関する。
【背景技術】
【０００２】
近年、宅内の情報機器は、ハードディスクレコーダー内蔵のDVDレコーダのように、非常にたくさんの映像コンテンツ及び音楽コンテンツをはじめ、テレビ番組及びインターネットから入手した各種サービス情報を蓄積するホームコンテンツサーバが充実してきている。
【０００３】
マルチメディアコンテンツ提供システムとして、家庭に設置された様々なマルチメディアのコンテンツを蓄積したホームコンテンツサーバと、前記コンテンツを再生する視聴デバイスと、を具備するものが知られている。
【０００４】
また、これらサーバ的な役割を果たす宅内情報機器を始め、宅内の機器は、ホームネットワークに接続し、さらに宅内と家庭外のネットワークを接続するゲートウェイ装置を介して、インターネットに接続され、宅外の携帯無線端末装置から宅内の機器を制御できるようなサービスがスタートしている。
【０００５】
このようなネットワークにつながった宅内機器を宅外の携帯端末装置から制御するものとしては、特許文献１及び特許文献２に記載されたものが挙げられる。
【０００６】
今後、これらの宅内機器と携帯端末装置との連携サービスは、機器の制御及び警告アラームの通知のような制御信号の交換だけでなく、昨今の公衆携帯無線サービスの広帯域化、及び、これまでの屋内で利用されていたIEEE８０２.１１の代表される無線LAN技術を屋外に適用したホットスポットサービスの普及により、広帯域な情報の交換、すなわち、前述した宅内のホームコンテンツサーバに蓄積された映像及び音楽コンテンツのダウンロード／ストリーミング、並びに、画像データなどを含むサービス情報のダウンロードが普及すると考えられる。
【０００７】
また、よりリアルタイム性を追求するのであれば、リアルタイムで放送されているテレビ番組もチューナ機能を有するホームコンテンツサーバから、インターネット経由で携帯端末装置に送信し、リアルタイムに視聴できるサービスも考えられる。  
【特許文献１】特開平１１−４７６９３号公報
【特許文献２】特開２００１−３８９３５９号公報
【発明の開示】
【発明が解決しようとする課題】
【０００８】
しかしながら、家庭に設置された様々なマルチメディアのコンテンツを蓄積したホームコンテンツサーバと、前記コンテンツを再生する視聴デバイスと、を具備する従来のマルチメディアコンテンツ提供システムにおいては、同一コンテンツの視聴を異なる視聴デバイスの間で切り換えた場合に、視聴者が同じシーンから継続して視聴することができないという問題がある。
【０００９】
本発明は、かかる点に鑑みてなされたものであり、宅内に設置されるホームコンテンツサーバが視聴者の操作に基づいて送信先の視聴デバイスを切り換えて送信することができるため、同一コンテンツの視聴を異なる視聴デバイスの間で切り換えた場合でも、視聴者が同じシーンから継続して視聴できるマルチメディアコンテンツ提供システム、ホームコンテンツサーバ及び視聴デバイスを提供することを目的とする。
【課題を解決するための手段】
【００１０】
第１の発明によるマルチメディアコンテンツ提供システムは、宅内に設置され異なるマルチメディアのコンテンツを蓄積したホームコンテンツサーバと、前記ホームコンテンツサーバから配信される前記コンテンツを再生する複数の視聴デバイスと、を具備するマルチメディアコンテンツ提供システムであって、前記ホームコンテンツサーバが、当該ホームコンテンツサーバに接続された前記複数の視聴デバイスを検出するデバイス検出部と、切換先の前記視聴デバイスを設定する接続デバイス設定部と、切換元の前記視聴デバイスからデバイス切換要求を受けた時に切換元の前記視聴デバイスから切換先の前記視聴デバイスに前記コンテンツの配信を切り換える接続デバイス切換部と、前記視聴デバイスに送信している前記コンテンツを管理する視聴コンテンツ管理部と、前記デバイス切換要求を受けた時に前記コンテンツの配信に必要な切換先の前記視聴デバイスのデバイス情報に基づいて前記コンテンツのパラメータを変更するコンテンツパラメータ制御部と、を具備し、前記複数の視聴デバイスの各々が、前記ホームコンテンツサーバに接続された前記複数の視聴デバイスを検出するデバイス検出部と、切換先の前記視聴デバイスを設定する接続デバイス設定部と、前記デバイス情報を管理しているデバイス情報管理部と、前記デバイス切換要求を前記ホームコンテンツサーバに送信するデバイス切換要求送信手段と、を具備する構成を採る。
【００１１】
この構成によれば、宅内に設置されるホームコンテンツサーバが視聴者の操作に基づいて送信先の視聴デバイスを切り換えて送信することができるため、同一コンテンツの視聴を異なる視聴デバイスの間で切り換えた場合でも、視聴者が同じシーンから継続して視聴できる。
【００１２】
第２の発明によるマルチメディアコンテンツ提供システムは、宅内に設置され異なるマルチメディアのコンテンツを蓄積したホームコンテンツサーバと、前記ホームコンテンツサーバから配信される前記コンテンツを再生する複数の視聴デバイスと、を具備するマルチメディアコンテンツ提供システムであって、前記ホームコンテンツサーバが、当該ホームコンテンツサーバに接続された前記複数の視聴デバイスを検出するデバイス検出部と、切換先の前記視聴デバイスを設定する接続デバイス設定部と、切換先の前記視聴デバイスからデバイス切換要求を受けた時に切換元の前記視聴デバイスから切換先の前記視聴デバイスに前記コンテンツの配信を切り換える接続デバイス切換部と、前記視聴デバイスに送信している前記コンテンツを管理する視聴コンテンツ管理部と、前記デバイス切換要求を受けた時に前記コンテンツの配信に必要な切換先の前記視聴デバイスのデバイス情報に基づいて前記コンテンツのパラメータを変更するコンテンツパラメータ制御部と、を具備し、前記複数の視聴デバイスの各々が、前記ホームコンテンツサーバに接続された前記複数の視聴デバイスを検出するデバイス検出部と、切換先の前記視聴デバイスを設定する接続デバイス設定部と、前記デバイス情報を管理しているデバイス情報管理部と、切換先の前記視聴デバイスとなった時に前記デバイス切換要求を前記ホームコンテンツサーバに送信するデバイス切換要求送信手段と、視聴している視聴コンテンツ及び視聴シーンの情報を管理する視聴コンテンツ管理部と、接続元の前記視聴デバイスとなった時において前記デバイス切換要求を送信する時に前記視聴コンテンツ管理部に管理されている前記視聴コンテンツ及び前記視聴シーンの情報を有するコンテンツ情報を切換先の前記視聴デバイスに送信する第１のコンテンツ情報送信手段と、切換先の前記視聴デバイスとなった時に切換元の前記視聴デバイスから受信する前記コンテンツ情報を前記ホームコンテンツサーバに送信する第２のコンテンツ情報送信手段と、を具備する構成を採る。
【００１３】
この構成によれば、宅内に設置されるホームコンテンツサーバが視聴者の操作に基づいて送信先の視聴デバイスを切り換えて送信することができるため、同一コンテンツの視聴を異なる視聴デバイスの間で切り換えた場合でも、視聴者が同じシーンから継続して視聴できる。
【００１４】
第３の発明によるホームコンテンツサーバは、宅内に設置され異なるマルチメディアのコンテンツを蓄積したホームコンテンツサーバと、前記ホームコンテンツサーバから配信される前記コンテンツを再生する複数の視聴デバイスと、を具備するマルチメディアコンテンツ提供システムであって、前記視聴デバイスの各々が、前記ホームコンテンツサーバに接続された前記複数の視聴デバイスを検出するデバイス検出部と、切換先の前記視聴デバイスを設定する接続デバイス設定部と、前記コンテンツの配信に必要なデバイス情報を管理しているデバイス情報管理部と、デバイス切換要求を前記ホームコンテンツサーバに送信するデバイス切換要求送信手段と、を具備するマルチメディアコンテンツ提供システムにおけるホームコンテンツサーバであって、前記複数の視聴デバイスを検出するデバイス検出部と、切換先の前記視聴デバイスを設定する接続デバイス設定部と、切換元の前記視聴デバイスから前記デバイス切換要求を受けた時に切換元の前記視聴デバイスから切換先の前記視聴デバイスに前記コンテンツの配信を切り換える接続デバイス切換部と、前記視聴デバイスに送信している前記コンテンツを管理する視聴コンテンツ管理部と、前記デバイス切換要求を受けた時に切換先の前記視聴デバイスの前記デバイス情報に基づいて前記コンテンツのパラメータを変更するコンテンツパラメータ制御部と、を具備する構成を採る。
【００１５】
この構成によれば、宅内に設置されるホームコンテンツサーバが視聴者の操作に基づいて送信先の視聴デバイスを切り換えて送信することができるため、同一コンテンツの視聴を異なる視聴デバイスの間で切り換えた場合でも、視聴者が同じシーンから継続して視聴できる。
【００１６】
第４の発明によるホームコンテンツサーバは、宅内に設置され異なるマルチメディアのコンテンツを蓄積したホームコンテンツサーバと、前記ホームコンテンツサーバから配信される前記コンテンツを再生する複数の視聴デバイスと、を具備するマルチメディアコンテンツ提供システムであって、前記複数の視聴デバイスの各々が、前記ホームコンテンツサーバに接続された前記複数の視聴デバイスを検出するデバイス検出部と、切換先の前記視聴デバイスを設定する接続デバイス設定部と、前記コンテンツの配信に必要なデバイス情報を管理しているデバイス情報管理部と、切換先の前記視聴デバイスとなった時に前記デバイス切換要求を前記ホームコンテンツサーバに送信するデバイス切換要求送信手段と、視聴している視聴コンテンツ及び視聴シーンの情報を管理する視聴コンテンツ管理部と、接続元の前記視聴デバイスとなった時において前記デバイス切換要求を送信する時に前記視聴コンテンツ管理部に管理されている前記視聴コンテンツ及び前記視聴シーンの情報を有するコンテンツ情報を切換先の前記視聴デバイスに送信する第１のコンテンツ情報送信手段と、切換先の前記視聴デバイスとなった時に切換元の前記視聴デバイスから受信する前記コンテンツ情報を前記ホームコンテンツサーバに送信する第２のコンテンツ情報送信手段と、を具備するマルチメディアコンテンツ提供システムにおけるホームコンテンツサーバであって、前記複数の視聴デバイスを検出するデバイス検出部と、切換先の前記視聴デバイスを設定する接続デバイス設定部と、切換先の前記視聴デバイスから前記デバイス切換要求を受けた時に切換元の前記視聴デバイスから切換先の前記視聴デバイスに前記コンテンツの配信を切り換える接続デバイス切換部と、前記視聴デバイスに送信している前記コンテンツを管理する視聴コンテンツ管理部と、前記デバイス切換要求を受けた時に切換先の前記視聴デバイスの前記デバイス情報に基づいて前記コンテンツのパラメータを変更するコンテンツパラメータ制御部と、を具備する構成を採る。
【００１７】
この構成によれば、宅内に設置されるホームコンテンツサーバが視聴者の操作に基づいて送信先の視聴デバイスを切り換えて送信することができるため、同一コンテンツの視聴を異なる視聴デバイスの間で切り換えた場合でも、視聴者が同じシーンから継続して視聴できる。
【００１８】
第５の発明による視聴デバイスは、宅内に設置され異なるマルチメディアのコンテンツを蓄積したホームコンテンツサーバと、前記ホームコンテンツサーバから配信される前記コンテンツを再生する複数の視聴デバイスと、を具備するマルチメディアコンテンツ提供システムであって、前記ホームコンテンツサーバが、当該ホームコンテンツサーバに接続された前記複数の視聴デバイスを検出するデバイス検出部と、切換先の前記視聴デバイスを設定する接続デバイス設定部と、切換元の前記視聴デバイスからデバイス切換要求を受けた時に切換元の前記視聴デバイスから切換先の前記視聴デバイスに前記コンテンツの配信を切り換える接続デバイス切換部と、前記視聴デバイスに送信している前記コンテンツを管理する視聴コンテンツ管理部と、前記デバイス切換要求を受けた時に前記コンテンツの配信に必要な切換先の前記視聴デバイスのデバイス情報に基づいて前記コンテンツのパラメータを変更するコンテンツパラメータ制御部と、を具備するマルチメディアコンテンツ提供システムにおける視聴デバイスであって、前記ホームコンテンツサーバに接続された前記複数の視聴デバイスを検出するデバイス検出部と、切換先の前記視聴デバイスを設定する接続デバイス設定部と、前記デバイス情報を管理しているデバイス情報管理部と、
前記デバイス切換要求を前記ホームコンテンツサーバに送信するデバイス切換要求送信手段と、を具備する構成を採る。
【００１９】
この構成によれば、宅内に設置されるホームコンテンツサーバが視聴者の操作に基づいて送信先の視聴デバイスを切り換えて送信することができるため、同一コンテンツの視聴を異なる視聴デバイスの間で切り換えた場合でも、視聴者が同じシーンから継続して視聴できる。
【００２０】
第６の発明による視聴デバイスは、宅内に設置され異なるマルチメディアのコンテンツを蓄積したホームコンテンツサーバと、前記ホームコンテンツサーバから配信される前記コンテンツを再生する複数の視聴デバイスと、を具備するマルチメディアコンテンツ提供システムであって、前記ホームコンテンツサーバが、当該ホームコンテンツサーバに接続された前記複数の視聴デバイスを検出するデバイス検出部と、切換先の前記視聴デバイスを設定する接続デバイス設定部と、切換先の前記視聴デバイスからデバイス切換要求を受けた時に切換元の前記視聴デバイスから切換先の視聴デバイスに前記コンテンツの配信を切り換える接続デバイス切換部と、前記視聴デバイスに送信している前記コンテンツを管理する視聴コンテンツ管理部と、前記デバイス切換要求を受けた時に前記コンテンツの配信に必要な切換先の前記視聴デバイスのデバイス情報に基づいて前記コンテンツのパラメータを変更するコンテンツパラメータ制御部と、を具備するマルチメディアコンテンツ提供システムにおける視聴デバイスであって、前記ホームコンテンツサーバに接続された前記複数の視聴デバイスを検出するデバイス検出部と、切換先の前記視聴デバイスを設定する接続デバイス設定部と、前記デバイス情報を管理しているデバイス情報管理部と、
切換先の前記視聴デバイスとなった時に前記デバイス切換要求を前記ホームコンテンツサーバに送信するデバイス切換要求送信手段と、視聴している視聴コンテンツ及び視聴シーンの情報を管理する視聴コンテンツ管理部と、接続元の前記視聴デバイスとなった時において前記デバイス切換要求を送信する時に前記視聴コンテンツ管理部に管理されている前記視聴コンテンツ及び前記視聴シーンの情報を有するコンテンツ情報を切換先の前記視聴デバイスに送信する第１のコンテンツ情報送信手段と、切換先の前記視聴デバイスとなった時に切換元の前記視聴デバイスから受信する前記コンテンツ情報を前記ホームコンテンツサーバに送信する第２のコンテンツ情報送信手段と、を具備する構成を採る。
【００２１】
この構成によれば、宅内に設置されるホームコンテンツサーバが視聴者の操作に基づいて送信先の視聴デバイスを切り換えて送信することができるため、同一コンテンツの視聴を異なる視聴デバイスの間で切り換えた場合でも、視聴者が同じシーンから継続して視聴できる。
【発明の効果】
【００２２】
以上説明したように、本発明によれば、宅内に設置されるホームコンテンツサーバが視聴者の操作に基づいて送信先の視聴デバイスを切り換えて送信することができるため、同一コンテンツの視聴を異なる視聴デバイスの間で切り換えた場合でも、視聴者が同じシーンから継続して視聴できる。
【発明を実施するための最良の形態】
【００２３】
次に、本発明の実施の形態について、図面を参照して詳細に説明する。
【００２４】
（実施の形態１）
図１は、本発明の実施の形態１に係るマルチメディアコンテンツ提供システムの構成を示す図である。
【００２５】
図１に示すように、本発明の実施の形態１に係るマルチメディアコンテンツ提供システム１００は、ホームネットワークシステム１１０及びインターネット１２０を具備している。
【００２６】
ホームネットワークシステム１１０は、ホームコンテンツサーバ１１１、アンテナ１１２、テレビ１１３、ホーム無線基地局１１４、複数の携帯無線端末装置１１５及びホームゲートウェイ装置１１６を具備している。１つの携帯無線端末装置１１５のみが図示されている。ホームネットワークシステム１１０は、複数の視聴デバイスを有するものであり、本発明の実施の形態１においては、複数の視聴デバイスとしてテレビ１１３及び携帯無線端末装置１１５を有している。
【００２７】
アンテナ１１２は、ホームコンテンツサーバ１１１に接続されている。テレビ１１３及びホーム無線基地局１１４は、ホームコンテンツサーバ１１１に接続されている。ホームゲートウェイ装置１１６は、ホームコンテンツサーバ１１１とインターネット１２０との間に接続されている。
【００２８】
ホームコンテンツサーバ１１１は、アンテナ１１２を介してテレビ番組を受信するほか、ホームゲートウェイ装置１１６を介して、インターネット１２０からコンテンツを入手することができる。また、ホームコンテンツサーバ１１１は、入手したテレビ番組及びコンテンツを蓄積することができる。また、ホームコンテンツサーバ１１１は、ホーム無線基地局１１４を介して携帯無線端末装置１１５とデータ及び信号の送受信を行う。ホームコンテンツサーバ１１１に蓄積されたコンテンツは、テレビ１１３及び携帯無線端末装置１１５により宅内でいつでも閲覧及び視聴することができる。
【００２９】
次に、本発明の実施の形態１に係るホームコンテンツサーバ１１１、テレビ１１３及び携帯無線端末装置１１５について、図面を参照して詳細に説明する。
【００３０】
図２は、本発明の実施の形態１に係るホームコンテンツサーバ１１１の構成を示すブロック図である。図３は、本発明の実施の形態１に係るテレビ１１３の構成を示すブロック図である。図４は、本発明の実施の形態１に係る携帯無線端末装置１１５の構成を示すブロック図である
図２に示すように、ホームコンテンツサーバ１１１は、コンテンツ蓄積部２０１、チューナ２０２、コンテンツ蓄積制御部２０３、外部メモリリードライト部２０４、コンテンツ送信制御部２０５、コンテンツ変換部２０６、ファイル構成部２０７、データ処理部２０８及び入出力インタフェース２０９を具備している。
【００３１】
コンテンツ蓄積制御部２０３は、チャネル制御部２０３１及び外部メモリ制御部２０３２を具備している。コンテンツ送信制御部２０５は、接続管理部２０５１及びコンテンツ管理部２０５２を具備している。コンテンツ送信制御部２０５１は、デバイス検出部２０５３、接続デバイス設定部２０５４及び接続デバイス切換部２０５５を具備している。コンテンツ管理部２０５２は、視聴コンテンツ管理部２０５６及びコンテンツパラメータ制御部２０５７を具備している。
【００３２】
コンテンツ蓄積制御部２０３は、コンテンツ蓄積部２０１へのコンテンツの蓄積を制御する。コンテンツの１つである放送番組データは、アンテナ１１２で受信されてチューナ２０を介してコンテンツ蓄積部２０１に取り込まれる。この場合には、チャネル制御部２０３１がコンテンツ蓄積部２０１へのコンテンツの蓄積を制御する。
【００３３】
また、コンテンツは、外部メモリリードライト部２０４により外部メモリ装置から取り込まれる。この場合には、外部メモリ制御部２０３２がコンテンツ蓄積部２０１へのコンテンツの蓄積を制御する。
【００３４】
テレビ１１３又は携帯無線端末装置１１５に送信されるコンテンツは、コンテンツ蓄積部２０１から取り出され、コンテンツ変換部２０６が各視聴デバイスにあったコーデック、フレームレート及びビットレートにコンテンツをトランスコードする。ファイル構成部２０７は、コンテンツ変換部２０６からのコンテンツを各視聴デバイスにあったファイルフォーマット（ASF、MP４など）にフォーマット化する。
【００３５】
データ処理部２０８は、ファイル構成部２０７からのコンテンツのパケット処理を行って入出力インタフェース２０９を介してテレビ１１３又は携帯無線端末装置１１５に送信する。また、データ処理部２０８は、テレビ１１３又は携帯無線端末装置１１５から入出力インタフェース２０９を介して受信する信号を処理してコンテンツ送信制御部２０５に与える。
【００３６】
コンテンツ送信制御部２０５は、コンテンツ変換部２０６及びファイル構成部２０７を制御することによりコンテンツ蓄積部２０１からコンテンツを取り出してテレビ１１３又は携帯無線端末装置１１５に送信させる。
【００３７】
デバイス検出部２０５３は、ホームネットワークシステム１１０が具備する視聴デバイスを検出する。接続デバイス設定部２０５４は、コンテンツ送信先の視聴デバイスの接続設定をするためのものである。接続デバイス切換部２０５５は、デバイス検出部２０５３からの検出信号と、接続デバイス設定部２０５４からの設定信号と、に基づいて送信先の視聴デバイスの切換を行う。
【００３８】
視聴コンテンツ管理部２０５６は、蓄積されているコンテンツのうち現在視聴されているコンテンツと視聴デバイスの管理をする。コンテンツパラメータ制御部２０５７は、送信するコンテンツのコーデック及びファイルフォーマットなどのパラメータの制御を行う。
【００３９】
図３に示すように、テレビ１１３は、入出力インタフェース３０１、データ処理部３０２、ファイル処理部３０３、デコード部３０４、モニター３０５及び接続管理部３０６を具備している。
【００４０】
ここでテレビ１１３は、チューナ機能を取り払った映像及び音楽コンテンツのデコード並びにモニターでの視聴だけの機能を有するものを記載しているが、放送信号のチューナ機能を有するものでもよい。本発明の実施の形態１では、チューナ機能は、一括してホームコンテンツサーバ１１１が有する場合について説明している。
【００４１】
モニター３０５は、表示操作部３０５１を具備している。表示操作部３０５１は、接続デバイス表示部３０５２及び視聴コンテンツ表示部３０５３を具備している。接続管理部３０６は、デバイス検出部３０６１、接続デバイス設定部３０６２及びデバイス情報管理部３０６３を具備している。
【００４２】
データ処理部３０２は、入出力インタフェース３０１を介してホームコンテンツサーバ１１１とのデータの送受信及びデータのパケット処理を行っている。ファイル処理部３０３は、データ処理部３０２からのコンテンツを、オーディオ、ビデオ、テキスト又は画像などの各メディアのデータ（コンテンツ）に分解する。デコード部３０４は、ファイル処理部３０３からのデータ（コンテンツ）をデコードしてモニター３０５に送る。モニター３０５は、デコード部３０４からのデータ（コンテンツ）を映し出す。
【００４３】
接続デバイス表示部３０５２は、ホームコンテンツサーバ１１１に現在接続されている視聴デバイスを表示するためのものである。視聴コンテンツ表示部３０５３は、現在視聴しているコンテンツを表示するためのものである。表示操作部３０５１は、視聴者が接続デバイス表示部３０５２及び視聴コンテンツ表示部３０５３を見ながらタッチパネル及びリモートコントロール装置を利用して操作して情報を入力するためのものである。
【００４４】
デバイス検出部３０６１は、ホームコンテンツサーバ１１１に接続される視聴デバイスを検出するものである。接続デバイス設定部２０６２は、視聴者がコンテンツの送信先の視聴デバイスの接続設定をするためのものである。デバイス情報管理部３０６３は、携帯無線端末装置の対応コーデック、画素数、対応フレームレート、ビットレート及びファイルフォーマットなどのデバイス情報を管理する。
【００４５】
図４に示すように、携帯無線端末装置１１５は、ホーム無線インタフェース４０１、データ処理部４０２、接続管理部４０３、コンテンツ蓄積部４０４、ファイル処理部４０５、デコード部４０６及びモニター４０７を具備している。
【００４６】
接続管理部４０３は、無線接続管理部４０３１、デバイス検出部４０３２、接続デバイス設定部４０３３及びデバイス情報管理部４０３４を具備している。
【００４７】
ホーム無線インタフェース４０１は、IEEE８０２.１１やUWBなどの無線インタフェースで構成される。データ処理部４０２は、送受信するデータ及び信号のパケット処理を行う。データ処理部４０２は、接続管理部４０３からの信号をホーム無線インタフェース４０１を介してホーム無線基地局１１４に送信する。また、データ処理部４０２は、ホーム無線基地局１１４からホーム無線インタフェース４０１を介して受信するコンテンツを処理してコンテンツ蓄積部４０４又はファイル処理部４０５に与える。
【００４８】
無線接続管理部４０３１は、データ処理部４０２とホーム無線基地局１１４との無線接続を管理する。デバイス検出部４０３２は、ホームコンテンツサーバ１１１に現在接続されている視聴デバイスを検出するためのものである。接続デバイス設定部４０３３は、視聴者がンテンツの視聴切換先の視聴デバイスの接続設定を行うためのものである。デバイス情報管理部４０３４は、携帯無線端末装置の対応コーデック、画素数、対応フレームレート、ビットレート及びファイルフォーマットなどのデバイス情報を管理する。
【００４９】
ファイル処理部４０５は、データ処理部４０２又はコンテンツ蓄積部４０４から受けるコンテンツを、オーディオ、ビデオ、テキスト又は画像などの各メディアのデータ（コンテンツ）に分解する。デコード部４０６は、ファイル処理部４０５からのデータ（コンテンツ）をデコードしてモニター４０７に送る。モニター４０７は、デコード部４０６からのデータ（コンテンツ）を映し出す。
【００５０】
次に、本発明の実施の形態１に係るホームネットワークシステム１００の複数の視聴デバイスにおけるコンテンツ視聴及び閲覧の継続切換動作について、図１〜図４とともに図５〜図９を参照して詳細に説明する。
【００５１】
まず、テレビ１１３でホームコンテンツサーバ１１１に蓄積されたコンテンツを視聴する動作について説明する。
【００５２】
図５は、本発明の実施の形態１に係るマルチメディアコンテンツ提供システムにおけるコンテンツの送受信に伴うプロトコルスタックのイメージを示す図である。図５においては、ホームネットワークシステム１１０がイーサネット（登録商標）及びＩPプロトコルに準拠したネットワークをイメージしたが、他のプロトコルでも問題ない。
【００５３】
本発明で重要な部分は、TCP／IPやUDP／IPの上位層にネットワークシステムに接続しているデバイスを自動的に検出し、さらに、これらデバイスの間で上位層のコンテンツをダウンロードするプロトコル及びストリーミングを切り換えるプロトコルが実装されていることである。
【００５４】
図６は、本発明の実施の形態１に係るマルチメディアコンテンツ提供システムにおける視聴動作のシーケンスを示す図である。
【００５５】
ホームネットワークシステム１１０でお互いに接続されたホームコンテンツサーバ１１１とテレビ１１３は、デバイス検出部２０５３、３０６１でお互いに認識を完了しており、相手アドレスを把握している。
【００５６】
テレビ１１３は、視聴したいコンテンツを決定するため、ホームコンテンツサーバ１１１に接続し、コンテンツ一覧データを取得し、モニター３０５に表示する。この時、テレビ１１３は、ホームコンテンツサーバ１１１に接続要求を送る。ホームコンテンツサーバ１１１は、接続要求を受けた時に接続許可をテレビ１１３に返信する。
【００５７】
次に、テレビ１１３は、ホームコンテンツサーバ１１１にコンテンツ一覧要求を送信する。ホームコンテンツサーバ１１１は、コンテンツ一覧要求を受けた時にコンテンツ一覧データ通知を返信する。
【００５８】
視聴者は、モニター３０５に映し出されたコンテンツ一覧表から視聴したい映像を選択し（選択情報を入力し）、要求コンテンツのダウンロード開始し、テレビ１１３のモニター３０５で視聴を開始する（ストリーミング再生の開始）。
【００５９】
この時、図６に示すように、テレビ１１３は、視聴コンテンツ要求と共にテレビデバイス情報として、コーデック（例えば、MPEG２）、画素数、フレーム数及びファイルフォーマットなどをホームコンテンツサーバ１１１に送信する。ホームコンテンツサーバ１１１は、デバイス情報を受け取った時に、送信すべきコンテンツをコンテンツ蓄積部２０１から選択する。次に、コンテンツ変換部２０６は、コンテンツ蓄積部２０１から送られてきたデバイス情報に合致したパラメータに加工する。さらに、ファイル構成部２０７は、コンテンツ変換部２０６からのコンテンツをファイルフォーマット化し、データ処理部２０８でパケット化する。この後に、テレビ１１３は、ホームコンテンツサーバ１１１から当該コンテンツのダウンロードを開始する。
【００６０】
一方、テレビ１１３は、受け取ったコンテンツデータをパケット処理した後に、ファイル処理部３０３及びデコード部３０４でオーディオ信号及びビデオ信号のデコードをしてRGV信号にしてモニター３０５に映し出す。
【００６１】
なお、本発明の実施の形態１における制御信号及びデータの構成の一例が図７に示されている。データの種別としては、制御信号とコンテンツ一覧情報及びコンテンツそのものなどのデータに大きく分かれ、図５に示したプロトコルスタックのデータ検出／デバイス切換プロトコルに準拠するデータ構成となっている。
【００６２】
次に、本発明の実施の形態１に係るホームネットワークシステム１１０の複数の視聴デバイスにおけるコンテンツ視聴及び閲覧の継続切換動作について、図面を参照して説明する。
【００６３】
図８は、本発明の実施の形態１に係るホームネットワークシステム１１０の複数の視聴デバイスにおけるコンテンツ視聴及び閲覧の継続切換動作の１例のシーケンスを示す図である。
【００６４】
テレビ１１３の操作によりデバイス切換を選択するとデバイス検出部３０６１で検出されたホームネットワークシステム１１０に接続しているデバイス一覧が表示される。ここで、切換先の視聴デバイスとしては、携帯無線端末装置１１５、各部屋に置かれたディスプレイ装置又はパーソナルコンピュータなどがあるが、ここでは携帯無線端末装置１１５への切換動作について説明する。
【００６５】
視聴者が切換先デバイスとして携帯無線端末装置１１５を選択すると、テレビ１１３は、ホームコンテンツサーバ１１１にデバイス切換要求通知（切換先デバイス情報を含む）を送信する。ここで、切換先デバイス情報としては、デバイス名のほか、アドレスなどが考えられる。ホームコンテンツサーバ１１１は、デバイス切換要求通知を受けた時に、テレビ１１３に対してデバイス切換要求確認通知を返信し、かつ、切換先の携帯無線端末装置１１５に対して接続要求を送る。
【００６６】
携帯無線端末装置１１５は、接続要求を受けた時に接続許可をホームコンテンツサーバ１１１に返信する。次に、ホームコンテンツサーバ１１１は、コンテンツ送信要求を携帯無線端末装置１１５に送る。
【００６７】
携帯無線端末装置１１５は、コンテンツ送信要求を受けた時に大きく２つの動作をすることになる。すなわち、携帯無線端末装置１１５は、コンテンツの通知を許可する動作と、拒否する動作とのいずれかを実行する。
【００６８】
携帯無線端末装置１１５がコンテンツの通知を許可する場合には、コンテンツ送信要求を受けた携帯無線端末装置１１５はコンテンツ送信許可を送る必要があるが、一般に視聴者は切換先デバイスとして、現在使用されていないデバイス、例えば個人用の携帯無線端末装置１１５及び各個人の部屋のディスプレイ装置などが予想され、各切換先デバイスのディスプレイの上に切換の旨を通知し、視聴者自身が許可する場合と、視聴者が切換先デバイスの前にいなくて強制的に切り換える場合も考えられる。
【００６９】
したがって、携帯無線端末装置１１５は、図８に示すように、視聴者が許可してコンテンツ送信許可を返す場合と、視聴者が視聴デバイスの前に存在しないことを想定して視聴者の指示がない場合でも一定時間内経過すると自動的にコンテンツ送信許可を送信する機能を有することが望まれる。
【００７０】
切換先である携帯無線端末装置１１５は、コンテンツ送信許可と共に図４に示す携帯無線端末装置１１５のデバイス情報管理部４０３４で管理しているデバイス情報として、対応コーデック情報、画素数、対応フレームレート、ビットレート及びファイルフォーマットなどの情報を通知する。
【００７１】
コンテンツ送信許可を受けたホームコンテンツサーバ１１１は、デバイス切換が可能な旨をテレビ１１３に通知するためデバイス切換確認通知を送る。次に、ホームコンテンツサーバ１１１は、テレビ１１３からデバイス切換了承通知を受けると、テレビ１１３へのコンテンツ配信を停止し、かつ、コンテンツ変換部２０６で先ほど携帯無線端末装置１１５から送られてきたデバイス情報に基づいて同一コンテンツを同一シーンからコンテンツのパラメータを変更して、ファイル構成部２０７で携帯無線端末装置１１５にあったファイルフォーマットを構成し、送信先を携帯無線端末装置１１５にアドレス変更してコンテンツ送信を開始する。すなわち、携帯無線端末装置１１５は、ホームコンテンツサーバ１１１からのコンテンツのダウンロードを開始し、ストリーミングの再生を開始する。
【００７２】
また、切換先の視聴デバイスがすでに使用されている場合、例えば、切換先の視聴デバイスが家族の一員に使用されている場合、図９に示すように、ホームコンテンツサーバ１１１が携帯無線端末装置１１５へコンテンツ送信要求をした時に、携帯無線端末装置１１５はホームコンテンツサーバ１１１にコンテンツ送信非許可を返信する。この時に、ホームコンテンツサーバ１１１は、テレビ１１３に対してデバイス切換非許可を送ることになる。テレビ１１３は、デバイス切換非許可を受けた時にホームコンテンツサーバ１１１にデバイス切換非許可確認を送る。
【００７３】
本発明の実施の形態１においては、テレビ１１３で視聴していたコンテンツを携帯無線端末装置１１５にデバイス切換するための動作を説明したが、宅内において携帯無線端末装置１１５で視聴していたコンテンツをテレビ１１３に切り換える場合においても同様な動作が行われる。
【００７４】
すなわち、図４に示す携帯無線端末装置１１５におけるデバイス検出部４０３２がホームネットワークシステム１１０に接続している視聴デバイスを検出し（この場合はテレビ１１３を検出し）、図８及び図９のシーケンスとは逆方向へ切換のための制御信号が送られることになる。
【００７５】
また、携帯無線端末装置１１５へのデバイス切換と同様に、テレビ１１３に適したパラメータのコンテンツを送信するために図３に示すテレビのデバイス情報管理部３０６３がデバイス情報をホームコンテンツサーバ１１１に送信することにより、ホームコンテンツサーバ１１１は、携帯無線端末装置１１５に適したコンテンツパラメータからテレビ１１３に適したコンテンツパラメータに変換して送信を行うことになる。
【００７６】
このように、本発明の実施の形態１においては、宅内に設置されるホームコンテンツサーバ１１１が視聴者の操作に基づいて送信先の視聴デバイスを切り換えて送信することができるため、同一コンテンツの視聴を異なる視聴デバイスの間で切り換えた場合でも、視聴者が同じシーンから継続して視聴できる。
【００７７】
（実施の形態２）
次に、本発明の実施の形態２について、図面を参照して詳細に説明する。
【００７８】
図１０は、本発明の実施の形態２に係るマルチメディアコンテンツ提供システムのテレビの構成を示すブロック図である。図１１は、本発明の実施の形態２に係るマルチメディアコンテンツ提供システムの携帯無線端末装置の構成を示すブロック図である。本発明の実施の形態２においては、本発明の実施の形態１と同じ構成要素には同じ参照符号が付されて説明が省略される。
【００７９】
本発明の実施の形態２に係るマルチメディアコンテンツ提供システムは、切換前後の視聴デバイスが視聴コンテンツ管理部を有し、切換視聴デバイス同士がピアーツーピアーで視聴コンテンツ内容を交換し、切換先の視聴デバイスから入手したコンテンツ情報を用いてホームコンテンツサーバにコンテンツ送信を要求するものである。
【００８０】
図１０及び図１１に示すように、本発明の実施の形態２に係るマルチメディアコンテンツ提供システム１０００は、本発明の実施の形態１に係るマルチメディアコンテンツ提供システム１００において、テレビ１１３及び携帯無線端末装置１１５の代わりにテレビ１０１０及び携帯無線端末装置１０２０を具備している。
【００８１】
図１０に示すように、テレビ１０１０は、テレビ１１３において接続管理部３０６の代わりに接続管理部１０１１を具備している。接続管理部１０１１は、接続管理部３０６において視聴コンテンツ管理部１０１２を追加してなる。視聴コンテンツ管理部１０１２は、視聴するコンテンツを管理するものである。
【００８２】
図１１に示すように、携帯無線端末装置１０２０は、携帯無線端末装置１１５において接続管理部４０３の代わりに接続管理部１０２１を具備している。接続管理部１０２１は、接続管理部４０３において視聴コンテンツ管理部１０２２を追加してなる。視聴コンテンツ管理部１０２２は、視聴するコンテンツを管理するものである。
【００８３】
次に、本発明の実施の形態２における視聴デバイス間移動時の動作について、図１０及び図１１とともに図１２〜図１４を参照して詳細に説明する。
【００８４】
本発明の実施の形態２における視聴デバイスをテレビ１０１０から携帯無線端末装置１０２０に切り換える場合の動作について示す。
【００８５】
テレビ１０１０は、図５に示す動作シーケンスと同様な動作で、ホームコンテンツサーバ１１１からコンテンツを入手し視聴する。この時、視聴コンテンツ管理部１０１２は、視聴コンテンツ情報、及び、現在視聴しているシーン（具体的にはコンテンツ開始からのタイムスタンプ）を記憶している。
【００８６】
図１２は、本発明の実施の形態２における切換動作の１例のシーケンスを示す図である。図１２に示すように、視聴者がデバイス切換をスタートさせると、テレビ１０１０のデバイス検出部３０６１がホームネットワークシステム１１０に接続しているデバイス一覧を検出し、モニター３０５の接続デバイス表示部３０５２がデバイス一覧を表示する。
【００８７】
視聴者が一覧から携帯無線端末装置１０２０を選択すると、図１２に示すように、テレビ１０１０が携帯無線端末装置１０２０に直接にデバイス切換要求通知（自動切換モード）を送信する。ここで、自動切換モードは、後で説明する手動切換モードと区別するものであり、詳細については後述する。
【００８８】
携帯無線端末装置１０２０は、デバイス切換要求通知を受け取った時にテレビ１０１０にデバイス切換要求確認通知を返信して切換を了承する。ここで、視聴者が手動で了承する場合も考えられが、自動的に返信されることが望まれるため、本発明の実施の形態１における図８で説明したように、一定時間後に自動的にバイス切換要求確認通知を返信する機能を備えておく必要がある。
【００８９】
また、携帯無線端末装置１０２０が家族の他の一員に使用されている場合には、本発明の実施の形態１における図９で説明したように、携帯無線端末装置１０２０はテレビ１０１０にデバイス切換非許可を返信し、その時点でデバイス切換が失敗に終わる。
【００９０】
次に、テレビ１０１０は、デバイス切換要求確認通知を受け取った時に視聴コンテンツ管理部１０１２が管理しているコンテンツ情報（視聴コンテンツ及び視聴シーン）を携帯無線端末装置１０２０に送る。テレビ１０１０は、コンテンツ送信要求にあたっては、コンテンツ情報（視聴コンテンツ及び視聴シーン）及び携帯無線端末装置１０２０のデバイス情報を送り、かつ、切換元のデバイス名またはアドレス（ここではテレビ１０１０）を送る。
【００９１】
携帯無線端末装置１０２０は、コンテンツ情報を受け取った時にテレビ１０１０にコンテンツ情報受信確認通知を送信し、かつ、コンテンツ情報を視聴コンテンツ管理部１０１２に蓄積させる。
【００９２】
携帯無線端末装置１０２０は、テレビ１０１０にコンテンツ情報受信確認通知を送信した後にホームコンテンツサーバ１１１に接続要求を自動的に送信する。ホームコンテンツサーバ１１１は、接続要求を受けた時に接続許可を携帯無線端末装置１０２０に返信する。携帯無線端末装置１０２０は、ホームコンテンツサーバ１１１から接続許可を受けた時にホームコンテンツサーバ１１１にコンテンツ送信要求（コンテンツ情報、デバイス情報及び切換元デバイス情報）を送信する。
【００９３】
ホームコンテンツサーバ１１１は、携帯無線端末装置１０２０からコンテンツ送信要求を受けた時に、携帯無線端末装置１０２０にコンテンツ送信許可を送信し、かつ、テレビ１０１０にコンテンツ送信停止通知を送信する。テレビ１０１０は、コンテンツ送信停止通知を受けた時に、ホームコンテンツサーバ１１１にコンテンツ送信停止確認を送信する。
【００９４】
これにより、コンテンツ送信側のホームコンテンツサーバ１１１は、切換元のデバイス情報とコンテンツ情報を対比させて、切換先デバイスに送るべきコンテンツ及び視聴シーンを検索することができ、かつ、同一コンテンツを複数の視聴デバイスで視聴していた場合に、間違ったコンテンツの検索を防ぐことができる。
【００９５】
また、図１２に示すように、携帯無線端末装置１０２０にコンテンツの送信を開始するにあたり、切換元デバイスすなわちテレビ１０１０への送信停止をスムーズに行うことができる。
【００９６】
以上の動作を行って、最終的にホームコンテンツサーバ１１１は、コンテンツ変換部２０６及びファイル構成部２０７で、コンテンツを携帯無線端末装置１０２０に適したコンテンツパラメータ及びファイルフォーマットに変換し、コンテンツの送信を開始する。これにより、携帯無線端末装置１０２０は、同一コンテンツ及び同一シーンからのストリーミングの再生を開始する。
【００９７】
以上、自動モードの説明を行ったが、自動モードの場合に切換先の視聴デバイスが離れた場所、例えば、自分の部屋にある場合にコンテンツが自動的にスタートするため、見たいシーンを見逃す可能性がある。そこで、コンテンツのスタートを視聴者が切換先の視聴デバイスの前に到着後に開始する手動モードについて説明する。
【００９８】
図１３は、本発明の実施の形態２における切換動作の他の例のシーケンスを示す図である。
【００９９】
図１３に示すように、テレビ１０１０は、切換先の視聴デバイスである携帯無線端末装置１０２０にコンテンツ情報を通知した後に、ホームコンテンツサーバ１１１からのコンテンツの受信を停止するため、ホームコンテンツサーバ１１１に対してコンテンツ送信停止要求を送信してコンテンツの停止を行う。
【０１００】
次に、視聴者は切換先の視聴デバイスである携帯無線端末装置１０２０の前に到着すると、テレビ１０１０から受信したコンテンツ情報を基づいてホームコンテンツサーバ１１１にコンテンツ送信要求を送信する。この時、操作性を向上するため、図１４に示すようにデバイス切換情報を携帯無線端末装置１０２０のモニター４０７に表示し、ワンクリックで一連の動作が行われるようにしておくことが望ましい。
【０１０１】
手動モードのその他の動作シーケンスは、テレビ１０１０への送信停止がすでに行われている以外は、図１２の自動モードと同じである。
【０１０２】
本発明の実施の形態２においては、テレビ１０１０で視聴していたコンテンツを携帯無線端末装置１０２０にデバイス切換するための動作を説明したが、宅内において携帯無線端末装置１０２０で視聴していたコンテンツをテレビ１０１０にデバイス切換する場合においても同様な動作が行われる。
【０１０３】
以上のように、本発明の実施の形態２においては、切換を行う視聴デバイス同士で、前記視聴コンテンツに関わる情報を交換し、切換先の視聴デバイスからホームコンテンツサーバ１１１へ視聴コンテンツに関わる情報を送信してコンテンツ送信を要求することにより、同一コンテンツの視聴を異なる視聴デバイスの間で移動させた場合でも、同じシーンから継続して視聴することができる。
【０１０４】
また、本発明の実施の形態２においては、視聴デバイスの切換に伴うコンテンツ及びシーン情報を再生する視聴デバイスの側で管理することにより、ホームコンテンツサーバ１１１におけるデバイス切換に伴う負荷を低減することができる。
【０１０５】
なお、本発明の実施の形態１、２は、３以上の視聴デバイスを有するように構成されてもよい。
【産業上の利用可能性】
【０１０６】
本発明は、宅内に設置されるホームコンテンツサーバが視聴者の操作に基づいて送信先の視聴デバイスを切り換えて送信することができるため、同一コンテンツの視聴を異なる視聴デバイスの間で切り換えた場合でも、視聴者が同じシーンから継続して視聴できる効果を有し、マルチメディアコンテンツ提供システム、ホームコンテンツサーバ及び視聴デバイスに有用である。
【図面の簡単な説明】
【０１０７】
【図１】本発明の実施の形態１に係るマルチメディアコンテンツ提供システムの構成を示す図
【図２】本発明の実施の形態１に係るホームコンテンツサーバの構成を示すブロック図
【図３】本発明の実施の形態１に係るテレビの構成を示すブロック図
【図４】本発明の実施の形態１に係る携帯無線端末装置の構成を示すブロック図
【図５】本発明の実施の形態１に係るマルチメディアコンテンツ提供システムにおけるコンテンツの送受信に伴うプロトコルスタックのイメージを示す図
【図６】本発明の実施の形態１に係るマルチメディアコンテンツ提供システムにおける視聴動作のシーケンスを示す図
【図７】本発明の実施の形態１における制御信号及びデータの構成の一例を説明するための図
【図８】本発明の実施の形態１に係るホームネットワークシステムの複数の視聴デバイスにおけるコンテンツ視聴及び閲覧の継続切換動作の１例のシーケンスを示す図
【図９】本発明の実施の形態１に係るホームネットワークシステムの複数の視聴デバイスにおけるコンテンツ視聴及び閲覧の継続切換動作の他の例のシーケンスを示す図
【図１０】本発明の実施の形態２に係るマルチメディアコンテンツ提供システムのテレビの構成を示すブロック図
【図１１】本発明の実施の形態２に係るマルチメディアコンテンツ提供システムの携帯無線端末装置の構成を示すブロック図
【図１２】本発明の実施の形態２における切換動作の１例のシーケンスを示す図
【図１３】本発明の実施の形態２における切換動作の他の例のシーケンスを示す図
【図１４】本発明の実施の形態２に係るマルチメディアコンテンツ提供システムの携帯無線端末装置がデバイス切換情報を表示している状態を示す当該携帯無線端末装置の略正面図
【符号の説明】
【０１０８】
１００、１０００  マルチメディアコンテンツ提供システム
１１０  ホームネットワークシステム
１２０  インターネット
１１１  ホームコンテンツサーバ
１１２  アンテナ
１１３、１０１０  テレビ
１１４  ホーム無線基地局
１１５、１０２０  携帯無線端末装置
１１６  ホームゲートウェイ装置
２０１、４０４  コンテンツ蓄積部
２０２  チューナ
２０３  コンテンツ蓄積制御部
２０４  外部メモリリードライト部
２０５  コンテンツ送信制御部
２０６  コンテンツ変換部
２０７  ファイル構成部
２０８、３０２、４０２  データ処理部
２０９  入出力インタフェース
２０３１  チャネル制御部
２０３２  外部メモリ制御部
２０５１、３０６、４０３、１０１１、１０２１  接続管理部
２０５２  コンテンツ管理部
２０５３、３０６１、４０３２  デバイス検出部
２０５４、３０６２、４０３３  接続デバイス設定部
２０５５  接続デバイス切換部
２０５６  視聴コンテンツ管理部
２０５７  コンテンツパラメータ制御部
３０１  入出力インタフェース
３０３、４０５  ファイル処理部
３０４、４０６  デコード部
３０５、４０７  モニター
３０５１  表示操作部
３０５２  接続デバイス表示部
３０５３  視聴コンテンツ表示部
３０６３、４０３４  デバイス情報管理部
４０１  ホーム無線インタフェース
４０３１  無線接続管理部
１０１２、１０２２  視聴コンテンツ管理部
【図１】
2006013847.tif 000003
【図２】
2006013847.tif 000004
【図３】
2006013847.tif 000005
【図４】
2006013847.tif 000006
【図５】
2006013847.tif 000007
【図６】
2006013847.tif 000008
【図７】
2006013847.tif 000009
【図８】
2006013847.tif 000010
【図９】
2006013847.tif 000011
【図１０】
2006013847.tif 000012
【図１１】
2006013847.tif 000013
【図１２】
2006013847.tif 000014
【図１３】
2006013847.tif 000015
【図１４】
2006013847.tif 000016